(57)【要約】【課題】遊技や通行の邪魔になることがなく、簡単かつ安全な玉箱の昇降装置を提供する。【解決手段】水平部１１ａと鉛直部１１ｂとを有するベースフレーム１１と、鉛直部１１ｂに沿って昇降する可動フレーム１２と、可動フレーム１２を駆動するモータ及びバッテリーと、モータを操作する操作手段１６とを備え、可動フレーム１２には玉箱５が積載された台車４を搭載可能なバケット１５を取り付け、バケット１５には、後方へ向けて緩く上り傾斜し所定位置に台車４のキャスターが没入する開口部を有する傾斜底板１５１を設け、傾斜底板１５１の前縁が床面に接する状態で台車４をバケット１５内に進入させると、台車４のキャスターが開口部に没入して係止し、ベースフレーム１１に設けたキャスター１７により移動可能として、操作手段１６を操作して台車４に積載した玉箱５を所望の高さに昇降させる。【選択図】図２
2008043507.tif 000002
【特許請求の範囲】
【請求項１】
台車に積載した玉箱を、所望の高さに昇降可能な玉箱の昇降装置であって、
水平部と鉛直部とを有するベースフレームと、該ベースフレームの鉛直部に沿って昇降する可動フレームと、該可動フレームを駆動する駆動手段と、該駆動手段を操作する操作手段と、を備え、
前記可動フレームには、前方及び上方が開放して、玉箱が積載された台車を搭載可能なバケットを取り付け、
前記バケットには、後方へ向けて緩く上り傾斜する傾斜底板を設け、この傾斜底板の所定位置には、台車のキャスターが没入する開口部を設け、
前記傾斜底板の前縁が床面に接する状態で、台車をバケット内に進入させると、台車のキャスターが開口部に没入して係止することを特徴とする玉箱の昇降装置。
【請求項２】
駆動手段をバッテリー駆動とすると共に、バッテリーを搭載し、且つベースフレームにキャスターを設けて移動可能とした請求項１に記載の玉箱の昇降装置。
【発明の詳細な説明】
【技術分野】
【０００１】
本発明は、パチンコ店やアミュズメント店で、玉箱を台車と共に玉計数機の高さまで持ち上げる玉箱の昇降装置に関する。
【背景技術】
【０００２】
例えば、パチンコ機を用いて行われる遊技において、所定の入賞が発生した場合に排出される出玉は、数百個程度であれば、パチンコ機自身に設けられている玉受皿に収納できるが、出玉数が多くなると玉受皿に収納し切れなくなり、その場合には、玉箱に移し替えている。そして、この玉箱を、座席の横や近くの通路に置き、更に獲得した出玉数が多くなったときには、複数の玉箱を積み重ねて置くことが多い。なお、この明細書では、遊技媒体としてパチンコ玉を使用するパチンコ機を中心に説明し、「出玉」、「玉箱」等と称するが、遊技媒体は、スロットマシンに使用するメダル或いはコイン等、他のものであってもよく、「出玉」、「玉箱」等はこれらの遊技媒体に対応するものを含むものである。
【０００３】
一般に、パチンコの玉箱は、パチンコ機における大当り１回で排出される出玉を収納できる容量を有し、例えば約２０００〜２５００個程度を収納可能である。また、パチンコ玉を収納した玉箱は、パチンコ玉の１個当りの重量が約５ｇであるところから、１箱で１０ｋｇを超え、１箱に大量の出玉を詰め込む遊技者にあっては１箱で１８ｋｇ程に達することもある。更に、大当り回数の多いパチンコ機では、獲得した出玉を収納した玉箱を次々に積み重ね、その総重量は相当なものとなる。そして、遊技を終了した客は、出玉の精算を受けるために、通称ジェットカウンタと呼ばれる玉計数機まで、出玉を運ぶ必要がある。
【０００４】
玉計数機は、パチンコ店の特定箇所、例えば景品カウンターの近傍に設置されている。そして、玉計数機は、光電的に玉数をカウントするものが主流であり、パチンコ玉を流すための投入口が、一般的なものでは床面から７０〜８０ｃｍ程度の高さ、即ち成人の腰ほどの高さに設けられている。
【０００５】
そこで、パチンコ店では、複数の玉箱を玉計数機に運ぶ際には、手押し台車に積載し、この台車を玉計数機の設置位置まで移動させた後に、積載した玉箱を台車から取り出して出玉の計数を行うことになる。
【０００６】
しかしながら、玉箱は、前記したようにかなりの重量があるため、腰を屈めてこれを持ち上げることは、大変な作業であり、特に女性客や老人にとっては一層大変である。
【０００７】
また、最近では、遊技店によるサービスの一環として、玉箱の運搬を店の従業員が行うことが多い。そこで、一日に何度も大量の玉箱を持ち上げるため、腰痛になる従業員も出て来ているのが現状である。
【０００８】
そこで、従来から、錘とバネとによって、積み重ねた玉箱が一定の高さを保つようにした運搬台車装置が、特許文献１によって提案されている。
また、モータを駆動源として、台車と玉箱とを一緒に玉計数機の高さまで持ち上げるようにしたパチンコ玉箱用リフターが、特許文献２によって提案されている。
【０００９】
【特許文献１】特開平９−１０４５９５号公報
【特許文献２】特開平９−３２３８９５号公報
【発明の開示】
【発明が解決しようとする課題】
【００１０】
しかしながら、従来の運搬台車装置や玉箱用リフターは、構造が複雑であったり、遊技者や従業員に対する配慮が充分でなかったのが現状である。例えば、従来の運搬台車装置を、遊技者の座席の横や近くの通路におくことは、遊技や通行の邪魔になる。一方、従来の玉箱用リフターにあっては、玉箱をリフターに載せるのが面倒であり、また玉箱が不安定であって落下する危険すらあった。
【００１１】
本発明が解決しようとする課題は、遊技や通行の邪魔になることがなく、簡単かつ安全な玉箱の昇降装置を提供することを目的とする。
【課題を解決するための手段】
【００１２】
請求項１に係る発明は、台車に積載した玉箱を、所望の高さに昇降可能な玉箱の昇降装置であって、水平部と鉛直部とを有するベースフレームと、該ベースフレームの鉛直部に沿って昇降する可動フレームと、該可動フレームを駆動する駆動手段と、該駆動手段を操作する操作手段と、を備え、前記可動フレームには、前方及び上方が開放して、玉箱が積載された台車を搭載可能なバケットを取り付け、前記バケットには、後方へ向けて緩く上り傾斜する傾斜底板を設け、この傾斜底板の所定位置には、台車のキャスターが没入する開口部を設け、前記傾斜底板の前縁が床面に接する状態で、台車をバケット内に進入させると、台車のキャスターが開口部に没入して係止することを特徴とする。
【００１３】
請求項２に係る発明は、請求項１に記載した玉箱の昇降装置であって、駆動手段をバッテリー駆動とすると共に、バッテリーを搭載し、且つベースフレームにキャスターを設けて移動可能としたものである。
【発明の効果】
【００１４】
本発明は、玉箱を載せた台車を所望の高さに昇降させることができるので、玉箱に収納された玉を、玉計数機で計数する際に、腰を屈めて玉箱を持ち上げる必要がない。しかも、玉箱を積載した台車が遊技や通行の邪魔になることがなく、且つ、この玉箱を積載した台車を容易に昇降装置に搭載することができる。また、搭載した台車が脱落する恐れがなく、安全性がきわめて高い。
【発明を実施するための最良の形態】
【００１５】
本発明は、水平部と鉛直部とを有するベースフレームと、該ベースフレームの鉛直部に沿って昇降する可動フレームと、該可動フレームを駆動するバッテリー駆動の駆動手段及びバッテリーと、該駆動手段を操作する操作手段と、を備え、前記可動フレームには、前方及び上方が開放して、玉箱が積載された台車を搭載可能なバケットを取り付け、前記バケットには、後方へ向けて緩く上り傾斜する傾斜底板を設け、この傾斜底板の所定位置には、台車のキャスターが没入する開口部を設け、前記傾斜底板の前縁が床面に接する状態で、台車をバケット内に進入させると、台車のキャスターが開口部に没入して係止し、前記ベースフレームにはキャスターを設けて移動可能とし、前記操作手段を操作して、台車に積載した玉箱を所望の高さに昇降させる玉箱の昇降装置を実現した。
【実施例】
【００１６】
以下、本発明の一実施例を図面について説明する。図１は、玉箱の昇降装置１を島２の端部に設けた玉計数機３に隣接して配置した状態を示している。即ち、複数のパチンコ機を背中合わせに列設し、内部に玉補給装置等を配設して構成した島２と呼ばれるワンブロックの端部に玉計数機３が設けてある。そして、この玉計数機３を利用して獲得した玉を計数するようになっている。
【００１７】
玉計数機３は、玉を投入するための投入口３１が設けてあり、この投入口３１の高さは、通常、床面から７０〜８０ｃｍ位の位置に開口している。従って、台車４に載せて運んできた玉箱５を、投入口３１の位置まで持ち上げ、更に玉箱５をひっくり返して、投入口３１へ玉を投入する作業は、肉体的負担の掛かる作業であった。
【００１８】
次に、台車４に積載した玉箱５を、所望の高さに昇降させて、肉体的負担の低減を図ることのできる玉箱の昇降装置１について説明する。玉箱の昇降装置１は、ベースフレーム１１と、このベースフレーム１１に沿って昇降する可動フレーム１２と、この可動フレーム１２を駆動するための駆動手段１３と、を備えている。
【００１９】
ベースフレーム１１は、水平部１１ａと鉛直部１１ｂとを有し、側面から見ると、ほゞＬ字状である。即ち、床面に載置される水平部１１ａと、この水平部１１ａの一端から起立する鉛直部１１ｂとを有し、両者が円弧状の接続部１１ｃで繋がっている。具体的には、テンレス鋼等の金属パイプ材からなる左右一対のフレーム部材と、このフレーム部材を繋ぐ結合部材とにより構成してあり、左右対称に構成してある。なお、鉛直部１１ｂの内側には、後述する可動フレーム１２の昇降をガイドするガイド溝１１１が設けてある。
【００２０】
可動フレーム１２は、ほゞＬ字状の左右一対の板材１２ａと、これらの板材１２ａを繋ぐための左右に架け渡した上下一対の連結部材１２ｂとからなり、左右対称に構成してある。また、連結部材１２ｂの外端部分には、ベアリングローラ１２１をそれぞれ設けてある。そして、これらのベアリングローラ１２１を、前記したベースフレーム１１のガイド溝１１１に嵌合させることにより、可動フレーム１２をベースフレーム１１の鉛直部１１ｂに沿って昇降するようにガイドさせる。
【００２１】
可動フレーム１２を構成する上段の連結部材１２ｂの中央には、後述する駆動手段１３の受部を設ける。この受部は、例えば、駆動手段１３を構成しているボールネジ１３１に螺合するボールナット１３２である。
【００２２】
駆動手段１３は、モータ１３３を駆動源とするボールネジ１３１である。即ち、ボールネジ１３１の上端を、ベースフレーム１１の上方部分に設けた軸受部材１３４を介して、回転自在に軸着する。一方、ボールネジ１３１の下端を、モータ１３３に接続した減速ギヤボックス１３５の出力軸に連結する。
【００２３】
そこで、モータ１３３を回転させると、ボールネジ１３１が減速されて回転する。すると、ボールネジ１３１に螺合するボールナット１３２に、ボールネジ１３１の回転方向に応じた推進力が生じるため、ガイド溝１１１に案内された可動フレーム１２が、ボールナット１３２を介して、回転方向に対応して、上昇または下降することになる。なお、図示していないが、昇降範囲を規制するためのリミットスイッチが適所に設けてある。
【００２４】
前記したベースフレーム１１には、駆動手段１３を覆うように、パンチングメタル等からなるカバー板１４が、前面側及び背面側に取り付けてあり、また折り返し部分により側方を閉塞するようになっている。従って、駆動手段１３内の周りが覆われて隙間が殆ど無い状態になっているので、玉箱の昇降装置１の内部に誤って手が入ってしまい、思わぬ怪我をすることがなく、安全性の高いものとなっている。
【００２５】
前記した可動フレーム１２には、台車４を載せるためのバケット１５を取り付ける。このバケット１５は、前方と上面が開放しており、底面を形成する傾斜底板１５１は、後方に向けて緩い上り傾斜を有している。即ち、傾斜底板１５１の左右側縁には側板１５２が起立し、後縁には後板１５３が起立している。そして、左右の側板１５２及び後板１５３の上縁部分には、折返部１５４を設け、この折返部１５４を可動フレーム１２の板材１２ａに係止させると共に、ネジや溶接等によって固定している。
【００２６】
バケット１５を構成する傾斜底板１５１の所定位置、即ち、後縁付近には、後述する台車４の進行側に設けてある一対のキャスター４１が没入する一対の開口部１５５が開設してある。
【００２７】
玉箱５を載せる台車４は、荷台４２の下面側において四隅にキャスター４１が設けてある。また、荷台４２の後方側には取り外し可能な手押しハンドル４３が設けてある。そこで、荷台４２に玉箱５を載せて手押しハンドル４３を持って、押し歩けば、台車４を自由に移動可能である。なお、台車４に玉箱５を載せるタイミングは、パチンコ機における大当りが始まり、玉箱５が二箱位になったならば、店員が台車４を持ってきて、これらの玉箱５を台車４に移し替えるのが、一般的である。そして、その後に獲得した玉を玉箱５に収納し、この玉箱５を順次、荷台４２の上に積み上げていく。このようにすれば、大量の玉箱５を移し替える手間が省ける。また、遊技中は、台車４の手押しハンドル４３を外しておけば、このハンドル４３が遊技や通行の邪魔になることがない。
【００２８】
玉箱の昇降装置１には、前記駆動手段１３を操作してバケット１５を所望の高さに昇降させるための操作手段１６を設ける。即ち、モータ１３３の回転方向を決めると共に、スタート・ストップを行うスイッチを設けるのである。この操作手段１６の位置は、従業員が操作し易い位置、例えばベースフレーム１１の上面、或いは背面の適宜な高さに設ければよい。
【００２９】
各島２に玉計数機３が設置してある遊技店では、それぞれの玉計数機毎に、玉箱の昇降装置１が隣接して設けてあれば便利である。しかしながら、各玉計数機３に対してそれぞれに玉箱の昇降装置１を用意することは費用が嵩むことであるし、設置場所も必要になるので、難しい場合もある。
【００３０】
そこで、図面に示す実施例においては、玉箱の昇降装置１を移動可能に構成してある。即ち、ベースフレーム１１にキャスター１７を設けると共に、駆動手段１３をバッテリー駆動としている。例えば、モータ１３３を１２Ｖで作動するものを用い、１２Ｖのバッテリーで駆動させるのである。そして、バッテリーを、バッテリーケース１９に収納させると共に、図示していない充電器を、一緒に収納させておくのである。このようにしておけば、バッテリーを常に充電状態としておくことができる。
【００３１】
また、ベースフレーム１１の背面側において、適宜な高さには、この玉箱の昇降装置１を移動させる際の手がかりとなる、押し棒１８が設けてある。即ち、ハンドル或いは取手を構成する押し棒１８を設けることにより、玉箱の昇降装置１を押し易く、或いは引き易くして、移動を容易にしている。
【００３２】
そして、玉箱の昇降装置１を、最寄りの島２に設置した玉計数機３の近傍に移動させれば、この玉箱の昇降装置１により、台車４に積んだ玉箱５を所望の高さに持ち上げ、楽な姿勢で、玉を玉計数機３に投入することができる。従って、遊技者は、遠くのカウンターに設置してある玉計数機３まで玉箱５を運ぶ必要がなく、玉を玉計数機３に投入する作業も楽である。また、遊技者に対するサービスの一環として、遊技店の従業員が玉箱５を運んで計数しても、従業員が腰痛などを発症させて体を壊すことがない。
【００３３】
玉箱の昇降装置１には、図示していないが、ストッパを設けて、停止位置がずれないようにしてもよい。例えば、足でレバーを踏みつけると、突っ張り部材が突出する足踏み式のストッパを設けてもよいし、車輪の回転を停止させるような、ストッパ付きのキャスターを利用してもよい。
【００３４】
一方、玉箱の昇降装置１は、玉計数機３の近傍に固定しておいてもよい。この場合には、キャスター１７が不要である。また、駆動手段１３の動力源を、バッテリーを使う必要がなく、商用電源からとることができる。従って、玉箱の昇降装置１を安価に提供することが可能である。
【００３５】
玉箱の昇降装置１の使い方は、至って簡単である。大当りが発生して玉が溜まり出したら、この玉を玉箱５に収納する。遊技当初においては、通常、玉箱５は、遊技者の近くの床面に、直に置いてある。遊技が進行して更に玉を獲得して、一つ目の玉箱５が満杯になりそうだと、店員が次の玉箱５を持ってくると共に、台車４を押してくる。そして、最初の玉箱５を、台車４の上に載せ換える。また、二つ目の玉箱５を台車４の上に並べて置く。なお、この状態では、手押しハンドル４３は、取り外してある。従って、ハンドル４３が遊技や通行の邪魔になることがなく、ハンドル４３に引っ掛かって、台車４を倒してしまい大量の玉をばらまくこともない。
【００３６】
遊技を終了して玉を景品と交換する際には、台車４に手押しハンドル４３を装着し、台車４を使って玉箱５を玉計数機３のそばまで運ぶ。一方、玉計数機３の近傍には、玉箱の昇降装置１が設置してある。そこで、台車４をバケット１５に搭載するのである。このとき、バケット１５の傾斜底板１５１の前端縁は床面に接し、傾斜底板１５１は後方に向けて緩く上り傾斜している。また、傾斜底板１５１の後方部分には、開口部１５５が設けてある。
【００３７】
そこで、台車４をバケット１５の前面に臨ませ、バケット１５内に台車４を押して行くと、キャスター４１が、傾斜底板１５１を登って行く。このとき、床面とバケット１５の前端縁との段差がほとんどないので、スムーズに登ることができる。そして、キャスター４１が開口部１５５に達すると、このキャスター４１が開口部１５５に没入し、開口部１５５の縁に係止する状態になる。このため、台車４が後戻りすることがなくなる。この状態になったならば、台車４から手押しハンドル４３を外す。
【００３８】
次に、操作手段１６を操作して、バケット１５が上昇するようにスイッチを入れる。すると、モータ１３３が回転（バケット１５が上昇する方向を正回転とする）を開始し、ギヤボックス１３５を介して前記モータ１３３と連結されたボールネジ１３１が回転する。ボールネジ１３１が回転すると、このボールネジ１３１にボールナット１３２で連結されている可動フレーム１２を介してバケット１５が上昇する。
【００３９】
バケット１５が上昇して、玉箱５が所望の高さに達したら、操作手段１６のスイッチを切る。なお、このスイッチは、操作している間は、スイッチが入り、手を離すとスイッチが切れるタイプでも、個別にオン・オフ操作を必要とするタイプでもよい。また、スイッチを切り忘れても、所定の高さに達すると自動的にモータ１３３の回転が停止するようリミットスイッチが設けてあるので、安全性が高い。更に、所定以上の負荷が加わった場合には、直ちにモータ１３３の回転を停止するようにしておくと、更に安全性を高めることができる。
【００４０】
玉箱５が所望の高さに停止したら、玉箱５を持ち上げ、投入口３１の上で傾け、更には天地を反転させて、玉を玉計数機３に投入する。これにより玉計数機が玉を数え、計数結果を表示部３２に表示したり、カードやレシート等に書き込む。
【００４１】
玉箱の昇降装置１を利用して玉を玉計数機３に投入するときは、玉箱５を僅かに持ち上げれば、玉箱５が玉計数機３の投入口３１に達するので、腰や腕等に掛かる負担が、床面から持ち上げる場合に比べて、遥かに低減される。このため、非力な女子従業員等であっても、充分にサービスすることが可能であるし、体に大きな負担が掛かることがないので、腰痛などが発症することもない。
【００４２】
また、所望の高さに上昇させた台車４から玉箱５を降ろして、玉計数機３の投入口３１へ玉箱５の玉を投入する作業中は、前記したように、台車４のキャスター４１がバケット１５の開口部１５５の縁に係止した状態となっているので、台車４がバケット１５から脱落することがなく、安心して作業することができる。
【００４３】
なお、複数段に積み上げた玉箱５の玉を、玉計数機３に投入する場合には、一段投入する毎に、次段の玉箱５が、玉計数機３の投入口３１の高さに対応すように、上昇させてもよいし、適当な高さに停止させ、この位置から各段の玉箱５を投入口３１へ運ぶようにしてもよい。この場合であっても、床面から持ち上げることに比べれば、格段に容易であり、身体的負担もきわめて少ない。
【００４４】
全ての玉箱５の玉を、玉計数機３の投入口３１への投入が終了したら、バケット１５を下げ、台車４を降ろすことになる。即ち、操作手段１６を操作して、モータ１３３を逆転させることにより、バケット１５を下降させ、バケット１５の前端縁が床面に接する位置で停止させる。なお、この停止位置は、リミットスイッチ等により設定されている。
【００４５】
バケット１５が停止したら、台車４に手押しハンドル４３を装着し、台車４の前側のキャスター４１を開口部１５５から引き出し、台車４をバケット１５から後退させ、手押しハンドル４３を押して行き、所定の保管場所にて台車４を保管する。なお、保管中は、手押しハンドル４３を外すようにしておけば、邪魔にならない。
【００４６】
一方、玉箱の昇降装置１は、その場所に設置したままとしてもよいし、他の島２の玉計数機３の近傍に移動させて、この島２において計数するようにしてもよい。このように、玉箱の昇降装置１を移動させると、島２で循環する玉量を調整することができる。即ち、島２で循環する玉数、言い換えると島２で必要とする玉数は、ほゞ決っている。しかしながら、大当たりが発生したパチンコ台が多くなると、大量の玉を払い出すので、玉が足りなくなる恐れが出てくる。そこで、玉計数機３から玉を戻してやる必要がある。従って、玉が不足気味、或いは重点的に玉を補充したい島２へ、玉箱の昇降装置１を移動させ、その島２の玉計数機３を利用すれば、その島２に対して玉を補充することができる。
【００４７】
玉箱の昇降装置１を移動させる際には、バケット１５の前端縁が、床面に衝接しないように、バケット１５を若干上昇させた位置に停止させ、この状態で移動させるようにするとよい。
【００４８】
また、バケット１５に台車４を搭載した状態で、玉箱の昇降装置１を移動させることも可能である。即ち、台車４のキャスター４１が開口部１５５の縁に係止するので、台車４がバケット１５から脱落することがなく、安心して移動させることができる。なお、バケット１５の位置は、なるべく低い位置にして、バケット１５の前縁部及び台車４のキャスター４１が、床面に接触しない程度に上昇させておけば、重心が下がり安定する。
【００４９】
前記したように、玉箱の昇降装置１には、バッテリーを搭載すると共に、このバッテリーを充電するための充電器を搭載している。従って、電源コードを抜けば、自由に移動可能である。一方、玉箱の昇降装置１を、玉計数機３の近傍に留め置いている状態では、電源コードをコンセントに繋いでおき、バッテリーを充電するように設定する。このように、常に、充電可能な状態にしておけば、必要なときにいつでも、バケット１５を昇降させることができる。
【００５０】
一方、玉箱の昇降装置１を据え置きタイプとすることも容易である。そして、据え置きタイプならば、移動のための手段が不要である。即ち、ベースフレーム１１に設けるキャスター１７、バッテリー及び充電器が不要で、モータ１３３は１００Ｖ仕様のものを使用できる。
【００５１】
この据え置きタイプの昇降装置１は、玉計数機３の近傍に設置しておく。そして、使い方は、移動可能な昇降装置１と何ら変わるところはない。即ち、台車４で玉箱５を運び、台車４ごとバケット１５に載せる。すると、前側のキャスター４１が開口部１５５に落込み、この開口部１５５の縁にキャスター４１が係止可能になり、台車４が後退することがなくなる。なお、この状態では、手押しハンドル４３を外しておくとよい。
【００５２】
次に、操作手段１６を操作して、モータ１３３の回転を開始させ、台車４を載せたバケット１５を上昇させる。玉箱５が所望の高さに達したら、モータ１３３の回転を停止させて、バケット１５の上昇を停止させる。バケット１５が停止したら、玉箱５の玉を玉計数機３の投入口３１に投入すればよい。なお、複数の玉箱５を積み上げている場合には、最上段の玉箱５が、適宜な高さになるように、その都度、高さを変えてもよいし、適当な高さでバケット１５を停止させ、この状態で各玉箱５の玉を、玉計数機３の投入口３１へ投入してもよい。この場合であっても、床面から持ち上げるよりは、遥かに楽であり、腰等を痛める恐れも激減する。
【００５３】
また、この据え置きタイプの昇降装置１によれば、簡単な構成することができ、コストの削減が可能になる。
【００５４】
以上、玉箱の昇降装置１として、パチンコ遊技に使用するパチンコ玉を適用した場合について説明したが、パチンコ玉は遊技媒体の一例であって、遊技媒体はスロットマシンにおけるコイン（メダル）等についても、同様に適用することができる。即ち、コインも枚数がまとまると、かなりの重量になるので、これを持ち上げて計数機の投入口３１へ投入することは、重労働であり、身体的負担もかなり高い。そこで、玉箱の昇降装置１を使えば、スロット店或いはスロットフロアにおいても、軽快な作業が可能になり、体を壊す従業員が激減する。なお、「玉箱」等は、「コイン箱」等に、適宜に読み替えるものとする。
【００５５】
以上、本発明を図示の実施例について説明したが、本発明は前記した各実施例に限定されるものではなく、特許請求の範囲に記載した構成を変更しない限り適宜に実施できる。
【図面の簡単な説明】
【００５６】
【図１】玉箱の昇降装置を設置した島の概略斜視図である。
【図２】玉箱の昇降装置の斜視図である。
【図３】玉箱の昇降装置の正面図である。
【図４】玉箱の昇降装置の平面図である。
【図５】カバー板を外した状態の玉箱の昇降装置の背面図である。
【図６】カバー板を外した状態の玉箱の昇降装置の側面図である。
【図７】バケットの斜視図である。
【図８】台車とバケットとの関係を示す要部の断面図である。
【符号の説明】
【００５７】
１  玉箱の昇降装置
２  島
３  玉計数機
４  台車
５  玉箱
１１  ベースフレーム
１２  可動フレーム
１３  駆動手段
１４  カバー板
１５  バケット
１６  操作手段
１７  キャスター
１８  押し棒
１９  バッテリーケース
３１  投入口
３２  表示部
４１  キャスター
４２  荷台
４３  ハンドル
１１１  ガイド溝
１２１  ベアリングローラ
１３１  ボールネジ
１３２  ボールナット
１３３  モータ
１３４  軸受部材
１３５  ギヤボックス
１５１  傾斜底板
１５２  側板
１５３  後板
１５４  折返部
１５５  開口部
【図１】
2008043507.tif 000003
【図２】
2008043507.tif 000004
【図３】
2008043507.tif 000005
【図４】
2008043507.tif 000006
【図５】
2008043507.tif 000007
【図６】
2008043507.tif 000008
【図７】
2008043507.tif 000009
【図８】
2008043507.tif 000010